(57)【特許請求の範囲】
【請求項１】
トランジスタを備えた圧電発振器であって、
前記トランジスタのゲートには並列接続のコイルと第１のコンデンサとを有するＬＣ共振器が接続され、
前記トランジスタのドレインには電源電圧が印加され、
前記トランジスタのソースには反射素子としての圧電共振器が接続され、
前記トランジスタのドレイン側に出力端子が設けられ、
前記ＬＣ共振器に並列にバリキャップダイオードが接続され、
前記バリキャップダイオードのカソード側が前記トランジスタのゲートに接続されると共に、前記カソード側に時定数回路を介して電源電圧が印加されていることを特徴とする圧電発振器。
【請求項２】
バリキャップダイオードのアノード側に第２のコンデンサが接続され、前記バリキャップダイオードのカソード側に第３のコンデンサが接続され、
前記バリキャップダイオードのカソード側と前記第３のコンデンサとの間の点に時定数回路が接続されたことを特徴とする請求項１記載の圧電発振器。
【請求項３】
トランジスタを備えた圧電発振器であって、
前記トランジスタのゲートには並列接続のコイルと第１のコンデンサとを有するＬＣ共振器が接続され、
前記トランジスタのドレインには電源電圧が印加され、
前記トランジスタのソースには反射素子としての圧電共振器が接続され、
前記トランジスタのドレイン側に出力端子が設けられ、
前記ＬＣ共振器において、前記第１のコンデンサに直列にバリキャップダイオードが接続され、
前記バリキャップダイオードのカソード側が前記トランジスタのゲートに接続されると共に、前記カソード側に時定数回路を介して電源電圧が印加されていることを特徴とする圧電発振器。
【請求項４】
ＬＣ共振器において、バリキャップダイオードのカソード側に第４のコンデンサが接続され、
前記バリキャップダイオードのカソード側と前記第４のコンデンサとの間の点に時定数回路が接続されたことを特徴とする請求項３記載の圧電発振器。
【請求項５】
時定数回路が、バリキャップダイオードのカソード側に一端が接続すると共に他端が電源電圧に接続する抵抗と、
前記抵抗と前記バリキャップダイオードのカソード側との間の点に一端が接続すると共に他端が接地する第５のコンデンサとを有することを特徴とする請求項１乃至４のいずれか記載の圧電発振器。
【発明の詳細な説明】
【技術分野】
【０００１】
本発明は、反射素子を用いた圧電発振器に係り、特に、反射素子の反射特性を用いて高周波化、周波数安定化を図ると共に、反射素子の特性に応じて安定して発振させることができる圧電発振器に関する。
【背景技術】
【０００２】
［従来の技術］
圧電発振器では、コルピッツ型、ピアース型等の回路がある。
従来の発振器は、共振器の位相を制御して発振させる回路を用いて、その周波数を制御していた。
従来の圧電発振器について、コルピッツ回路の水晶発振回路とインバータ回路の水晶発振回路について説明する。
【０００３】
［コルピッツ型水晶発振回路：図５］
従来のコルピッツ型水晶発振回路について図５を参照しながら説明する。図５は、従来のコルピッツ型水晶発振回路の回路図である。
従来のコルピッツ型水晶発振回路は、図５に示すように、水晶振動子Ｘの一端が発振用のトランジスタＴｒのベースに接続し、水晶振動子Ｘの他端が接地している。
そして、トランジスタＴｒのコレクタには電源電圧Ｖが抵抗Ｒｃを介して印加されると共にコンデンサを介して出力端子（OUTPUT）が設けられている。
また、トランジスタＴｒのエミッタは抵抗ＲEを介して接地している。
【０００４】
トランジスタＴｒのベースには、電源電圧Ｖが抵抗ＲAを介して印加され、当該ベースは抵抗ＲBを介して接地している。
更に当該ベースには容量Ｃ1，Ｃ2の直列接続の一端が接続し、他端が接地され、容量Ｃ1と容量Ｃ2の間の点がエミッタに接続している。
以上の構成の従来のコルピッツ型水晶発振回路で発振動作が行われる。
【０００５】
［インバータ型水晶発振回路：図６］
従来のインバータ型水晶発振回路について図６を参照しながら説明する。図６は、従来のインバータ型水晶発振回路の回路図である。
従来のインバータ型水晶発振回路は、図６に示すように、インバータＩＣの入力側に水晶振動子Ｘの一端が接続し、インバータＩＣの出力側に水晶振動子Ｘの他端が接続し、更に入力側と出力側が抵抗ＲFを介して接続している。
【０００６】
入力側には容量Ｃgの一端が接続し、他端が接地され、出力側には容量Ｃdの一端が接続され、他端が接地され、また、出力側には出力端子（OUTPUT）が設けられている。
以上の構成の従来のインバータ型水晶発振回路で発振動作が行われる。
【０００７】
［関連技術］
尚、関連する先行技術として、特開平１０−１１２６１２号公報「高周波発振回路」（株式会社村田製作所、特許文献１）、特開平０５−３０４１７５号公報「電界効果トランジスタおよび高周波信号発振器および周波数変換回路」（日本電気株式会社、特許文献２）、特開平１０−２４２７５５号公報「マイクロ波発振器」（株式会社村田製作所、特許文献３）、特開２００６−４２０１０号公報「高周波発振回路、高周波機器、および高周波発振回路の特性調整方法」（株式会社村田製作所、特許文献４）、特開２００１−０８５９４７号公報「コルピッツ水晶発振回路」（東洋通信機株式会社、特許文献５）、特開２００２−２４６８４２号公報「マイクロ波発振器」（アルプス電気株式会社、特許文献６）がある。
【０００８】
特許文献１には、高周波発振回路において、出力フィルタで発振条件を設定することが示されている。
特許文献２には、帯域反射型発振器において、２つ以上のゲートパッド（ゲート端子）を備え、発振条件と出力整合条件を分けて設定することが記載されている。
【０００９】
特許文献３には、マイクロ波発振器において、マイクロストリップライン上にトランジスタを実装し、誘電体同軸共振器の内導体を、引出電極を介してマイクロストリップラインの所定位置に近接させることが記載されている。
特許文献４には、高周波発振回路において、共振回路と増幅回路を接続するＦＥＴのドレイン端側に特性調整用のオープンスタブを設け、トリミング又は誘電体チップの付加により特性を調整することが記載されている。
【００１０】
特許文献５には、水晶発振器において、エミッタ側に圧電発振器を接続して、ＳＣカットの水晶振動子の出力を帰還し、コンデンサを介してベースに接続することで発振器同時の負性抵抗を確保することが記載されている。
特許文献６には、マイクロ波発振器において、誘電体共振器をバラクタダイオードを用いて制御して、ベース側に入力することが記載されている。
更に、非特許文献１には、反射型の発振器の例が記載されている。
【先行技術文献】
【特許文献】
【００１１】
【特許文献１】特開平１０−１１２６１２号公報
【特許文献２】特開平０５−３０４１７５号公報
【特許文献３】特開平１０−２４２７５５号公報
【特許文献４】特開２００６−４２０１０号公報
【特許文献５】特開２００１−０８５９４７号公報
【特許文献６】特開２００２−２４６８４２号公報
【非特許文献】
【００１２】
【非特許文献１】INTERNATIONAL STANDARD, Waveguide type dielectric resonators Part 2: Guidelines for oscillator and filter applications, IEC 61338-2, First edition 2004-05, International Electrotechnical Commission.
【発明の概要】
【発明が解決しようとする課題】
【００１３】
しかしながら、従来の圧電発振器では、周波数が高周波になるに従い、その波長が短くなることから、プリント基板の線路長、共振子からパッケージまでの線路長、共振子搭載時のずれなどを考慮する必要があり、またこれらにより線路長がずれることから、所望の周波数からずれてしまい、周波数を調整するために位相調整がセンシティブとなり、高安定化させることが難しくなっているという問題点があった。
【００１４】
本発明は上記実情に鑑みて為されたもので、反射素子の反射特性を用いて高周波化、周波数安定化を図ることができ、更に反射素子の特性に応じて起動条件を緩和して安定して発振させることができる圧電発振器を提供することを目的とする。
【課題を解決するための手段】
【００１５】
上記従来例の問題点を解決するための本発明は、トランジスタを備えた圧電発振器であって、トランジスタのゲートには並列接続のコイルと第１のコンデンサとを有するＬＣ共振器が接続され、トランジスタのドレインには電源電圧が印加され、トランジスタのソースには反射素子としての圧電共振器が接続され、トランジスタのドレイン側に出力端子が設けられ、ＬＣ共振器に並列にバリキャップダイオードが接続され、バリキャップダイオードのカソード側がトランジスタのゲートに接続されると共に、カソード側に時定数回路を介して電源電圧が印加されていることを特徴としている。
【００１６】
また、本発明は、上記圧電発振器において、バリキャップダイオードのアノード側に第２のコンデンサが接続され、バリキャップダイオードのカソード側に第３のコンデンサが接続され、バリキャップダイオードのカソード側と第３のコンデンサとの間の点に時定数回路が接続されたことを特徴としている。
【００１７】
また、上記従来例の問題点を解決するための本発明は、トランジスタを備えた圧電発振器であって、トランジスタのゲートには並列接続のコイルと第１のコンデンサとを有するＬＣ共振器が接続され、トランジスタのドレインには電源電圧が印加され、トランジスタのソースには反射素子としての圧電共振器が接続され、トランジスタのドレイン側に出力端子が設けられ、ＬＣ共振器において、第１のコンデンサに直列にバリキャップダイオードが接続され、バリキャップダイオードのカソード側がトランジスタのゲートに接続されると共に、カソード側に時定数回路を介して電源電圧が印加されていることを特徴としている。
【００１８】
また、本発明は、上記圧電発振器において、ＬＣ共振器における、バリキャップダイオードのカソード側に第４のコンデンサが接続され、バリキャップダイオードのカソード側と前記第４のコンデンサとの間の点に時定数回路が接続されたことを特徴とする。
【００１９】
また、本発明は、上記圧電発振器において、時定数回路が、バリキャップダイオードのカソード側に一端が接続すると共に他端が電源電圧に接続する抵抗と、抵抗とバリキャップダイオードのカソード側との間の点に一端が接続すると共に他端が接地する第５のコンデンサとを有することを特徴としている。
【発明の効果】
【００２０】
本発明によれば、トランジスタを備えた圧電発振器であって、トランジスタのゲートには並列接続のコイルと第１のコンデンサとを有するＬＣ共振器が接続され、トランジスタのドレインには電源電圧が印加され、トランジスタのソースには反射素子としての圧電共振器が接続され、トランジスタのドレイン側に出力端子が設けられ、ＬＣ共振器に並列にバリキャップダイオードが接続され、バリキャップダイオードのカソード側がトランジスタのゲートに接続されると共に、カソード側に時定数回路を介して電源電圧が印加されている圧電発振器としているので、反射素子の反射特性を用いて高周波化、周波数安定化を図ると共に、圧電共振器の特性に応じてＬＣ共振器の容量を広い範囲で可変し、起動条件を緩和して安定して発振させることができ、種々の圧電共振器に対応可能として汎用性を向上させることができる効果がある。
【００２１】
また、本発明によれば、トランジスタを備えた圧電発振器であって、トランジスタのゲートには並列接続のコイルと第１のコンデンサとを有するＬＣ共振器が接続され、トランジスタのドレインには電源電圧が印加され、トランジスタのソースには反射素子としての圧電共振器が接続され、トランジスタのドレイン側に出力端子が設けられ、ＬＣ共振器において、第１のコンデンサに直列にバリキャップダイオードが接続され、バリキャップダイオードのカソード側がトランジスタのゲートに接続されると共に、カソード側に時定数回路を介して電源電圧が印加されている圧電発振器としているので、反射素子の反射特性を用いて高周波化、周波数安定化を図ると共に、圧電共振器の特性に応じてＬＣ共振器の容量を特定の範囲で可変し、起動条件を緩和して安定して発振させることができる効果がある。
【図面の簡単な説明】
【００２２】
【図１】本発明の第１の実施形態に係る圧電発振器の回路図である。
【図２】本発明の第２の実施形態に係る圧電発振器の回路図である。
【図３】本発明の第３の実施形態に係る圧電発振器の回路図である。
【図４】本発明の第４の実施形態に係る圧電発振器の回路図である。
【図５】従来のコルピッツ型水晶発振回路の回路図である。
【図６】従来のインバータ型水晶発振回路の回路図である。
【発明を実施するための形態】
【００２３】
本発明の実施の形態について図面を参照しながら説明する。
［実施の形態の概要］
本発明の実施の形態に係る圧電発振器は、トランジスタのゲートにＬＣ共振回路が接続され、ドレインに出力端子が接続され、当該出力端子側に電源電圧が印加され、ソースに反射素子が接続され、更に、ＬＣ共振回路に並列にバリキャップダイオードが接続され、バリキャップダイオードが時定数回路を介して電源電圧に接続されたものであり、反射素子の反射特性を用いて高周波化、周波数安定化を図ると共に、バリキャップダイオードに印加される電圧を時定数に応じて徐々に変化させて、反射素子の特性に応じてＬＣ共振回路の共振周波数をより広い範囲で調整可能として、安定して発振させることができ、また、種々の反射素子に対応可能とし、汎用性を向上させるものである。
【００２４】
また、本発明の実施の形態に係る圧電発振器は、トランジスタのゲートにＬＣ共振回路が接続され、ドレインに出力端子が接続され、当該出力端子側に電源電圧が印加され、ソースに反射素子が接続され、更に、ＬＣ共振回路のコンデンサに直列にバリキャップダイオードが接続され、バリキャップダイオードが時定数回路を介して電源電圧に接続されたものであり、反射素子の反射特性を用いて高周波化、周波数安定化を図ると共に、バリキャップダイオードに印加される電圧を時定数に応じて徐々に変化させて、反射素子の特性に応じてＬＣ共振回路の共振周波数を特定の範囲で細かく調整可能として、安定して発振させることができるものである。
【００２５】
［第１の実施形態の圧電発振器：図１］
本発明の第１の実施形態に係る圧電発振器について図１を参照しながら説明する。図１は、本発明の第１の実施形態に係る圧電発振器の回路図である。
本発明の第１の実施形態に係る圧電発振器（第１の圧電発振器）は、図１に示すように、基本的な構成部分として、トランジスタ１と、コイル（Ｌ1）２と、コンデンサ（Ｃ1）３と、インピーダンスとなる抵抗（Ｒ2）４と、反射素子の圧電共振器５と、抵抗（Ｒ3）６と、出力端子（OUTPUT）１０とを備え、更に、第１の圧電発振器の特徴部分として、バリキャップダイオード７と、抵抗（Ｒ4）８と、コンデンサ（Ｃ2）９とを備えている。
【００２６】
［実施の形態の圧電発振器の基本的な構成部分］
まず、第１の圧電発振器の基本的な構成部分について説明する。尚、この基本的な構成部分は、後述する第２〜第４の実施形態においても共通である。
コイル（Ｌ1）２とコンデンサ（Ｃ1）３とは並列に接続されて、ＬＣ共振器を構成しており、周波数の発振動作を行う。コンデンサ（Ｃ1）３は、請求項に記載した第１のコンデンサに相当している。
【００２７】
トランジスタ１は、電界効果型トランジスタ（FET; Field Effect Transistor）であり、発振周波数を増幅する。トランジスタ１のドレイン（Ｄ）には出力端子１０が接続され、ソース（Ｓ）には反射素子の圧電共振器５が接続され、ゲート（Ｇ）には、コイル（Ｌ1）２とコンデンサ（Ｃ1）３とから成るＬＣ共振器の一端が接続されている。
ＬＣ共振器の他端は、抵抗（Ｒ2）４を介して接地されている。
また、出力端子７側に電源電圧が抵抗（Ｒ3）６を介して印加されるようになっている。
【００２８】
尚、トランジスタ１は、ＦＥＴトランジスタの代わりにＮＰＮ型トランジスタとしてもよい。この場合、ＮＰＮ型トランジスタのゲートはＦＥＴトランジスタのベース、ドレインはコレクタ、ソースはエミッタとして動作するものである。
【００２９】
反射素子の圧電共振器５は、反射特性を用いて共振させるものである。
具体的には、圧電共振器５を反射素子として共振させることで、高周波にて周波数を安定化させることができる。
【００３０】
上述した基本的な構成部分においては、コイル（Ｌ1）２とコンデンサ（Ｃ1）３とから成るＬＣ共振器での発振周波数と、反射素子である圧電共振器５の共振周波数とが等しくなると発振が起動される。
【００３１】
発振周波数は、ＬＣ共振器を構成するコイル（Ｌ1）２、コンデンサ（Ｃ1）３の素子定数や、圧電共振器５の特性によって決まり、通常は、実装される圧電共振器５の共振特性に合わせてＬＣ共振器の素子を適切に選択することにより構成される。このような構成とすることで、高周波に対応可能とし、周波数の安定化を図るものである。
【００３２】
しかしながら、基本的な構成部分のみの場合、圧電共振器５の特性によってＬＣ共振器の共振周波数帯が固定され、更に高周波になると、一層狭い周波数帯での発振となって起動条件が非常に厳しくなり、調整が困難である。
【００３３】
［第１の圧電発振器の特徴部分］
そこで、第１の圧電発振器では、上述した基本的な構成部分に、更に、コイル（Ｌ1）２とコンデンサ（Ｃ1）３とから成るＬＣ共振器に並列に容量を可変するバリキャップダイオード７を接続し、更に、バリキャップダイオード７と電源電圧（Ｖｃｃ）との間に、抵抗（Ｒ4）８とコンデンサ（Ｃ2）９とから成る時定数回路を備えている。
つまり、バリキャップダイオード７は、時定数回路を介して電源電圧（Ｖｃｃ）が印加されるものである。
【００３４】
時定数回路においては、抵抗（Ｒ4）８の一端が電源電圧（Ｖｃｃ）に接続され、他端がコンデンサ（Ｃ2）９の一端に接続され、コンデンサ（Ｃ2）９の他端が接地されている。抵抗（Ｒ4）８、コンデンサ（Ｃ2）９は、請求項における抵抗、第５のコンデンサにそれぞれ相当している。
そして、抵抗（Ｒ4）８の他端とのコンデンサ（Ｃ2）９の一端との間の点にバリキャップダイオード７のカソード側及びＬＣ共振器の一端が接続している。
【００３５】
時定数回路は、電源投入時にバリキャップダイオード７に印加される電圧をその時定数に応じて徐々に増加させるものであり、それに伴ってＬＣ共振器のコンデンサ部の容量を一定の範囲内で変化させるものである。時定数回路の特性は、抵抗（Ｒ4）８とコンデンサ（Ｃ2）９の素子定数によって決まり、所望の発振器出力が得られるよう適宜選択される。
これにより、ＬＣ共振器の共振特性をある程度の幅で変化させることができ、圧電共振器５の特性に応じた容量になったときに特定の周波数で発振する。
【００３６】
図１の構成例においては、バリキャップダイオード７と並列にコンデンサ（Ｃ1）３が接続されていることから、バリキャップダイオード７に掛かる電圧変化を大きくすることができ、可変できる容量を広く取ることができるものである。
電源投入後、バリキャップダイオード７に印加される電圧が変化することで容量が変化し、コイル（Ｌ1）２、コンデンサ（Ｃ1）３、バリキャップダイオード７により共振した周波数が、圧電共振器５の共振周波数となった場合に発振状態となる。
すなわち、第１の圧電発振器では、高周波になると非常に厳しくなる発振の起動条件を緩和して、調整を容易にし、より広い周波数範囲で安定して発振させることができるものである。
【００３７】
特に、第１の圧電発振器では、ＬＣ共振器の容量の可変範囲が広いため、特性の異なる圧電共振器５が実装された場合でも、バリキャップダイオード７及び時定数回路によりＬＣ共振器の容量を調整して異なる周波数での発振を起動することができ、より広い周波数範囲で安定した発振を提供することができるものであり、種々の圧電共振器５を用いて発振器を構成することができ、汎用性を向上させるものである。
【００３８】
［第２の実施形態の圧電発振器：図２］
次に、本発明の第２の実施形態に係る圧電発振器について図２を参照しながら説明する。図２は、本発明の第２の実施形態に係る圧電発振器の回路図である。
図２に示すように、本発明の第２の実施形態に係る圧電発振器（第２の圧電発振器）は、ＬＣ共振器において、コンデンサ（Ｃ1）３に直列にバリキャップダイオード７が接続され、バリキャップダイオードのカソード側に第１の圧電発振器と同様の時定数回路が接続されている。
他の構成部分は、第１の圧電発振器と同様であり、反射素子の反射特性を用いて高周波化、周波数安定化を図ることができるものである。
【００３９】
第２の圧電発振器では、ＬＣ共振器の容量は、直列接続のコンデンサ（Ｃ1）３とバリキャップダイオード７により決まり、ある程度の範囲で容量を可変することができるものであるが、容量を可変する範囲は、第１及び第２の圧電発振器よりも狭くなる。
【００４０】
それでも、バリキャップダイオード７及び時定数回路を備えない場合に比べて、発振起動条件を緩和することができ、特に、ＬＣ共振器の周波数を特定の狭い周波数範囲で細かく調整することが可能となり、圧電共振器５の特性に応じた調整を容易にし、安定した発振周波数を出力することができるものである。
【００４１】
［第３の実施形態の圧電発振器：図３］
次に、本発明の第３の実施形態に係る圧電発振器について図３を参照しながら説明する。図３は、本発明の第３の実施形態に係る圧電発振器の回路図である。
図３に示すように、本発明の第３の実施形態に係る圧電発振器（第３の圧電発振器）は、第２の圧電発振器とほぼ同様の構成であり、ＬＣ共振器において、バリキャップダイオード７のカソード側に、更にコンデンサ（Ｃ5）１３が接続され、バリキャップダイオード７のカソードとコンデンサ（Ｃ5）１３との間の点に時定数回路が接続された構成となっている。
コンデンサ（Ｃ5）１３は、請求項に記載した第４のコンデンサに相当している。
【００４２】
第３の圧電発振器においては、第２の圧電発振器よりＬＣ共振器における容量可変範囲をより細かく設計することができ、第２の圧電発振器と同様に発振起動条件を緩和して、ＬＣ共振器の周波数を特定の狭い周波数範囲で細かく調整することが可能となり、圧電共振器５の特性に応じた調整を容易にし、安定した発振周波数を出力することができるものである。
【００４３】
［第４の実施形態の圧電発振器：図４］
次に、本発明の第４の実施形態に係る圧電発振器について図４を参照しながら説明する。図４は、本発明の第４の実施形態に係る圧電発振器の回路図である。
図４に示すように、本発明の第４の実施形態に係る圧電発振器（第４の圧電発振器）は、コイル（Ｌ1）２とコンデンサ（Ｃ1）３とから成るＬＣ共振器に並列にバリキャップダイオード７が接続されており、更に、バリキャップダイオード７のアノード側にコンデンサ（Ｃ3）１１が接続され、カソード側にコンデンサ（Ｃ4）１２が接続されている。
コンデンサ（Ｃ3）１１、コンデンサ（Ｃ4）１２は、それぞれ、請求項に記載した第２のコンデンサ、第３のコンデンサに相当している。
【００４４】
そして、バリキャップダイオード７のカソード側とコンデンサ（Ｃ4）１２との間の点に、第３の圧電発振器と同様の時定数回路が接続され、バリキャップダイオード７に時定数回路を介して電源電圧が印加されるようになっている。
これにより、バリキャップダイオード７に印加される電圧が除所に増加し、ＬＣ共振器の容量が圧電共振器５の特性に応じた容量となったところで発振を起動でき、ＬＣ共振器の発振周波数を特定の範囲内で可変することができるものである。
尚、それ以外の第４の圧電発振器の基本的な構成部分は、上述した第１〜第３の圧電発振器と同様であるため、説明は省略する。
【００４５】
第４の圧電発振器においても、第１〜第３の圧電発振器と同様に、反射素子の反射特性を用いて高周波化、周波数安定化を図ると共に、ＬＣ共振器の容量を特定の範囲で可変として起動条件を緩和し、ＬＣ共振器をより広い周波数範囲で発振させることができ、圧電共振器５の特性に応じた調整を容易にし、異なる特性の圧電共振器５が実装されても安定した発振周波数を出力することができるものである。
尚、第４の圧電発振器におけるＬＣ共振器の容量可変範囲は、コイル（Ｌ1）２と並列でバリキャップダイオード７と直列になるように、コンデンサ（Ｃ3）１１とコンデンサ（Ｃ4）１２が２つ接続されていることから、容量値はこの３つの合成容量となり、第１の圧電発振器と比べ容量可変範囲は狭くなる。
【００４６】
［実施の形態の効果］
本発明の第１の実施形態に係る圧電発振器によれば、トランジスタ１のゲートにコイル（Ｌ1）２とコンデンサ（Ｃ1）３が並列接続されたＬＣ共振回路が接続され、ドレインに出力端子１０が接続され、当該出力端子１０側に電源電圧（Ｖｃｃ）が印加され、ソースに反射素子としての圧電共振器５が接続され、更に、ＬＣ共振器に並列にバリキャップダイオード７が接続され、バリキャップダイオード７のカソード側に、抵抗（Ｒ4）８及びコンデンサ（Ｃ2）９から成る時定数回路を介して電源電圧（Ｖｃｃ）が印加される構成としているので、反射素子の反射特性を用いて高周波化、周波数安定化を図ると共に、ＬＣ共振器の容量を広い範囲で可変し、またバリキャップダイオード７に印加される電圧を徐々に増加させることで、圧電共振器５の特性に応じた起動条件を緩和して安定した発振を得ることができ、更に、種々の圧電共振器５に対応可能として汎用性を向上させることができる効果がある。
【００４７】
また、本発明の第２の実施形態に係る圧電発振器によれば、コイル（Ｌ1）２とコンデンサ（Ｃ1）３が並列接続されたＬＣ共振器の、コンデンサ（Ｃ1）３に直列にバリキャップダイオード７が接続され、バリキャップダイオード７のカソード側に時定数回路が接続された構成であり、ＬＣ共振器の容量を特定の範囲で可変し、更にバリキャップダイオード７に印加される電圧を徐々に増加させて、圧電共振器５の特性に応じた起動条件を緩和して安定した発振を得ることができる効果がある。
【産業上の利用可能性】
【００４８】
本発明は、反射素子の反射特性を用いて高周波化、周波数安定化を図ることができると共に、反射素子の特性に応じて安定して発振させることができる圧電発振器に適している。
【符号の説明】
【００４９】
１...トランジスタ、  ２...コイル（Ｌ1）、  ３...コンデンサ（Ｃ1）、  ４...抵抗（Ｒ2）、  ５...圧電共振器、  ６...抵抗（Ｒ3）、  ７...バリキャップダイオード、  ８...抵抗（Ｒ4）、  ９...コンデンサ（Ｃ2）、  １０...出力端子
【図１】
0005971838.tif 000002
【図２】
0005971838.tif 000003
【図３】
0005971838.tif 000004
【図４】
0005971838.tif 000005
【図５】
0005971838.tif 000006
【図６】
0005971838.tif 000007